(57)【要約】【課題】摺動による端子金具の摩耗を防止する。【解決手段】雄ハウジング１０の上面には基台４１が立てられ、その上端に被係止部４０が形成される。雌ハウジング２０には、アーチ部３０を左右に横切るようにして係止部材５０が差し込み可能とされる。雄雌のハウジング１０，２０が正規に嵌合されると、ロックアーム３１がロック突部１６に係止して嵌合状態にロックされる。ただしクリアランスｃは残る。そののち、係止部材５０を進出させると、雄ハウジング１０側の被係止部４０が、係止部材５０の後側枠部５３と挟持片５７の間で挟持された状態となる。これにより両ハウジング１０，２０は嵌合方向にがた詰めされた状態にロックされ、振動を受けた場合にも両ハウジング１０，２０が嵌合方向に沿った方向にがたつくことが防止される。もって、雄雌の端子金具１４，２４の接触部分の摩耗が防止される。【選択図】  図１２
2005005037.tif 000002
【特許請求の範囲】
【請求項１】
それぞれに端子金具が装着された雌雄一対のコネクタハウジングのいずれか一方には、ロックアームが弾性的な傾動可能に設けられ、このロックアームを傾動させつつ両コネクタハウジングが嵌合されて、正規嵌合に至ると前記ロックアームが復動して他方のコネクタハウジングに係止することで嵌合状態に保持されるようにしたコネクタにおいて、
いずれか一方のコネクタハウジングには、両コネクタハウジングの嵌合方向と交差する方向に進出可能な係止部材が設けられ、この係止部材は、両コネクタハウジングの嵌合後に進出して相手のコネクタハウジングの被係止部に係止することで、この相手のコネクタハウジングの離脱方向の移動を規制するように機能することを特徴とするコネクタ。
【請求項２】
前記係止部材は、前記両コネクタハウジングが正規嵌合に至って初めて前記相手のコネクタハウジングの被係止部における嵌合方向の後面側に進出可能となっていることを特徴とする請求項１記載のコネクタ。
【請求項３】
前記係止部材は前記一方のコネクタハウジングに対して、相手のコネクタハウジングの前記被係止部の変位経路から退避して両コネクタハウジングの嵌合動作を許容する退避位置と、前記被係止部に係止する進出位置とでそれぞれ保持可能とされていることを特徴とする請求項１または請求項２記載のコネクタ。
【請求項４】
前記端子金具は対応するコネクタハウジングのキャビティ内に挿入されて、このキャビティ内に撓み変位可能に設けられたランスにより一次係止されるとともに、キャビティの側面から挿入されたリテーナにより二次係止可能となっており、このリテーナと端子金具との間には、リテーナの挿入時に互いに係合して前記端子金具を前記キャビティの前壁に押し付ける誘導手段が設けられていることを特徴とする請求項１ないし請求項３のいずれかに記載のコネクタ。
【発明の詳細な説明】
【０００１】
【発明の属する技術分野】
本発明は、端子金具の摩耗防止対策を施したコネクタに関する。
【０００２】
【従来の技術】
コネクタの一般的な構造は、それぞれに端子金具が装着された雌雄一対のコネクタハウジングを備え、そのうちの一方に、被ロック部を有するロックアームが弾性的な傾動可能に設けられており、このロックアームを傾動させつつ両コネクタハウジングが嵌合されて、雌雄の端子金具同士が接続された正規嵌合に至ると、ロックアームが復動してその被ロック部が相手のハウジングに設けられたロック部に係止され、これにより嵌合状態に保持されるようになっている。
なお、この種のコネクタは、例えば特許文献１に記載されている。
【０００３】
【特許文献１】
特開平６−１８８０４１号公報
【０００４】
【発明が解決しようとする課題】
ところで上記のように、ロック機構として傾動するロックアームを備えたものでは、相手のロック部に乗り降りすべくその傾動を許容するためには、ロックアームの被ロック部と相手のロック部との間にある程度のクリアランスを設定せざるを得ない。そうすると、例えばコネクタがエンジンルーム等に配されて激しい振動を受ける形態で使用される場合には、両ハウジングが嵌合方向にがたついて雌雄の端子金具の接点部同士が摺動を繰り返し、接点部が次第に摩耗して接触圧が低下する等の弊害を生むという問題があった。
本発明は上記のような事情に基づいて完成されたものであって、その目的は、摺動による端子金具の摩耗を防止するところにある。
【０００５】
【課題を解決するための手段】
上記の目的を達成するための手段として、請求項１の発明は、それぞれに端子金具が装着された雌雄一対のコネクタハウジングのいずれか一方には、ロックアームが弾性的な傾動可能に設けられ、このロックアームを傾動させつつ両コネクタハウジングが嵌合されて、正規嵌合に至ると前記ロックアームが復動して他方のコネクタハウジングに係止することで嵌合状態に保持されるようにしたコネクタにおいて、いずれか一方のコネクタハウジングには、両コネクタハウジングの嵌合方向と交差する方向に進出可能な係止部材が設けられ、この係止部材は、両コネクタハウジングの嵌合後に進出して相手のコネクタハウジングの被係止部に係止することで、この相手のコネクタハウジングの離脱方向の移動を規制するように機能する構成としたところに特徴を有する。
【０００６】
請求項２の発明は、請求項１に記載のものにおいて、前記係止部材は、前記両コネクタハウジングが正規嵌合に至って初めて前記相手のコネクタハウジングの被係止部における嵌合方向の後面側に進出可能となっているところに特徴を有する。
請求項３の発明は、請求項１または請求項２に記載のものにおいて、前記係止部材は前記一方のコネクタハウジングに対して、相手のコネクタハウジングの前記被係止部の変位経路から退避して両コネクタハウジングの嵌合動作を許容する退避位置と、前記被係止部に係止する進出位置とでそれぞれ保持可能とされているところに特徴を有する。
【０００７】
請求項４の発明は、請求項１ないし請求項３のいずれかに記載のものにおいて、前記端子金具は対応するコネクタハウジングのキャビティ内に挿入されて、このキャビティ内に撓み変位可能に設けられたランスにより一次係止されるとともに、キャビティの側面から挿入されたリテーナにより二次係止可能となっており、このリテーナと端子金具との間には、リテーナの挿入時に互いに係合して前記端子金具を前記キャビティの前壁に押し付ける誘導手段が設けられているところに特徴を有する。
【０００８】
【発明の作用及び効果】
＜請求項１の発明＞
両コネクタハウジングを嵌合してロックレバーでロックされたのち、一方のコネクタハウジングに設けた係止部材を進出させると、相手のコネクタハウジングの被係止部に係止して、相手のコネクタハウジングが離脱方向に移動することが規制される。その結果、両コネクタハウジングは嵌合方向にがた詰めされた状態にロックされる。そのため、振動を受けた場合にも両コネクタハウジングが嵌合方向に沿った方向にがたつくことが無く、それぞれに装着されて互いに接触された端子金具の間で摩耗が生じることが防がれる。もって接触圧が確保される等、電気的接続の信頼性が高められる。
【０００９】
＜請求項２の発明＞
両コネクタハウジングが正規に嵌合された状態で係止部材が進出されると、係止部材は正規位置に至っている被係止部の後面に係止して両コネクタハウジングをがた詰めする。一方、両コネクタハウジングが正規嵌合する前の状態で係止部材が進出されると、係止部材は、未だ正規位置まで至っていない被係止部に突き当たることでその進出が規制される。これを以て、両コネクタハウジングの半嵌合が検知される。
＜請求項３の発明＞
係止部材は初めは退避位置に保持され、この状態では、係止部材が相手の被係止部と干渉することなく、両コネクタハウジングの嵌合が可能となる。両コネクタハウジングの嵌合後に係止部材を進出させると、被係止部に係止してがた詰めした状態で保持される。係止部材を一方のコネクタハウジングに仮組みできるから、取り扱いに優れたものとなる。
【００１０】
＜請求項４の発明＞
キャビティ内に挿入された端子金具をランスで係止する構造のものでは、端子金具とキャビティの前壁との間にクリアランスが存在する。このようなクリアランスがあると、同じく激しい振動を受ける形態で使用されると、端子金具がキャビティ内で前後方向に遊動し、相手の端子金具との接触部分で摺動が生じて摩耗に繋がるおそれがある。
その点この発明では、端子金具を二重係止すべくリテーナを挿入することに伴い、誘導手段の機能により端子金具をキャビティの前壁に押し付け、クリアランスを無くす。そのため、端子金具が前後に遊動することが規制され、相手の端子金具との接触部分での摩耗が抑制される。
【００１１】
【発明の実施の形態】
以下、本発明の実施形態を添付図面に基づいて説明する。
＜第１実施形態＞
本発明の第１実施形態を図１ないし図１３によって説明する。
この実施形態では、図１に示すように、互いに嵌合可能な雄側のコネクタハウジング１０（以下、雄ハウジングという）と、雌側のコネクタハウジング２０（以下、雌ハウジングという）とを備えている。以下では、それぞれのハウジング１０，２０において、嵌合端側を前方として説明する。
【００１２】
雄ハウジング１０は合成樹脂製であって機器１１と一体的に形成されており、図２にも示すように、角に丸みを付けた角筒状の小フード部１２が前方に突出して設けられ、小フード部１２内の奥壁から、タブ状をなす図示４本の雄端子１４が縦横に整列して突設されている。小フード部１２の上面には、幅方向の中央において、前後方向を向いた一対のガイド壁１５が平行姿勢で形成され、両ガイド壁１５の間における前端寄りの位置に、ロック突部１６が形成されている。ロック突部１６は、後面が切り立った係止面１６Ａで、前面がテーパ状のガイド面１６Ｂとされている。
【００１３】
雌ハウジング２０は同じく合成樹脂製であって、上記した雄ハウジング１０の小フード部１２内に嵌合されるタワー部２１が設けられ、このタワー部２１の前半部分の回りに、図３にも示すように、小フード部１２の外側にほぼ緊密に嵌合される大フード部２２が形成されている。
タワー部２１には、雌端子２４を収容可能な図示４個のキャビティ２５が、雄ハウジング１０の雄端子１４と対応した配置で形成されている。雌端子２４はキャビティ２５内に後方から挿入され、正規位置まで挿入されると、底面に設けられたランス２６により一次係止されるとともに、雌端子２４の後方に取り付けられた防水ゴム栓２７がキャビティ２５の入口を閉鎖するようになっている。また雌端子２４は、フロントタイプのリテーナ２８により二重係止され、このリテーナ２８は、タワー部２１の外周に嵌着されたパッキン２９の抜け止めを兼ねている。
【００１４】
雌ハウジング２０の大フード部２２の上面には、上方に膨出したアーチ部３０が形成され、このアーチ部３０内にロックアーム３１が設けられている。このロックアーム３１は、前後方向に細長く、支点部３２を中心としてシーソー状に傾動可能となっている。このロックアーム３１の前端部は、雄ハウジング１０の両ガイド壁１５で案内されて真直に進入可能となっている。このロックアーム３１には、その前端から少し入った位置から後方に向けて溝３３が切られており、その溝３３の前端が、雄ハウジング１０のロック突部１６が係止可能なロック面３４となっている。
【００１５】
したがって、図１の矢線に示すように、雌ハウジング２０を雄ハウジング１０に向けて嵌合すると、ロックアーム３１の先端が相手の雄ハウジング１０のロック突部１６のガイド面１６Ｂに突き当たり、ロックアーム３１はロック突部１６に乗り上げるようにして前端側を上方へ傾動させつつ押し込まれる。雌ハウジング２０が所定量押し込まれると、ロック面３４がロック突部１６の位置を通過するため、図１２に参照して示すように、ロックアーム３１が元姿勢に復元してロック突部１６が溝３３内に嵌合される。これにより、ロック面３４がロック突部１６の係止面１６Ａと対向してロックされるが、ロック面３４とロック突部１６の係止面１６Ａとの間にはクリアランスｃが生じ、このクリアランスｃが両ハウジング１０，２０の嵌合方向に沿った方向のがたつきを生むところとなる。
【００１６】
そこでこの実施形態では、両ハウジング１０，２０のがたつきを規制する対策が施されており、以下それについて詳述する。
雄ハウジング１０側には、被係止部４０が設けられている。詳細には、雄ハウジング１０の両ガイド壁１５の間における後端寄りの位置に、基台４１が立ち上がって形成され、この基台４１の上端に、短寸の角柱状をなす一対の被係止部４０が、正面から見た左右方向に所定間隔を開けて形成されている。
【００１７】
一方、雌ハウジング２０側には、上記した被係止部４０に係止する係止部材５０が装着可能とされている。この係止部材５０は、合成樹脂材によって図５に示すような形状に形成され、図６に示すように、雌ハウジング２０のアーチ部３０の左右の側壁７０Ｌ，７０Ｒを貫通するようにして、正面から見た左から右に向けて挿入可能とされている。
係止部材５０は、アーチ部３０の左右の側壁７０Ｌ，７０Ｒの間隔よりも大きい長さ寸法を持った厚肉の板状に形成されており、挿入方向の後端側に、操作部５１が立ち上がって形成されている。
【００１８】
係止部材５０における挿入方向の前端側の半分強の領域では、下面側がほぼ半分の厚さに削成されているとともに、中央に窓孔５２が開口されて枠状に形成されている。ここで、後側枠部５３（図６の右側）は、前側枠部５４に比べて幅狭に形成されているが、後側枠部５３は元の厚さが残され、結果背が高く形成されて剛性が確保されている。
窓孔５２内における奥行方向（図６の左右方向）のほぼ中央部には、基端枠部５５（挿入方向の後側）から挟持片５７が片持ち状に突設され、先端枠部５６の少し手前まで達している。この挟持片５７は、後側枠部５３と同じ高さを持ち、後側枠部５３との間に、上記した雄ハウジング１０の被係止部４０をほぼ緊密に挟持可能な間隔を有している。
また、挟持片５７の下部側には、上記の被係止部４０を挿通可能な２個の逃がし溝５８が、対応した間隔を開けて形成されている。
【００１９】
また、前側枠部５４の基端側では、所定領域において下面側に厚みが加わるように張り出され、後側枠部５３、挟持片５７と同じ背の高さに形成されており、この下張出部６０の前面には、仮係止突部６１が形成されている。この下張出部６０側から前側枠部５４の内部にわたってスリット６２が入れられることで、仮係止突部６１の形成面が撓み変形可能となっている。
一方、上記した挟持片５７は本係止片も兼ねており、その突出端側の前面には、本係止突部６３が形成されている。
【００２０】
係止部材５０は、上記のように、雌ハウジング２０のアーチ部３０の左右の側壁７０Ｌ，７０Ｒにおける前部側を貫通して挿入可能とされている。そのため、アーチ部３０の左側の側壁７０Ｌには、図４にも示すように、係止部材５０の基端側の断面形状に倣った方形断面の左挿入開口７１が形成されている。一方、右側の側壁７０Ｒの対向した位置にも、同様に方形断面の右挿入開口７２が形成されている。ただし、この右挿入開口７２では、その下面の前部側がほぼ中央高さ位置まで立ち上がって段部７３が形成され、係止部材５０の前側枠部５４を受けることが可能となっている。
また、アーチ部３０の天井面における幅方向の中央部の前縁には、図１にも示すように、垂下したのち奥側に延出した断面Ｌ字形をなす受け部７５が形成されている。この受け部７５は、係止部材５０の前側枠部５４を受けるように機能し、その左右方向の幅は、雄ハウジング１０側の両被係止部４０の間を通る寸法に設定されている。
【００２１】
係止部材５０は、左挿入開口７１から右挿入開口７２にわたって挿入され、挿入方向の後端側を左挿入開口７１で、前端側を右挿入開口７２でそれぞれ受けられ、また、前側枠部５４を受け部７５で受けられつつ、左右方向の摺動可能に支持される。
係止部材５０が図６の矢線に示すように挿入されると、まず仮係止突部６１が弾性変位しつつ左挿入開口７１の前側の側面を通過し、図８に示すように、挟持片５７の本係止突部６３が段部７３に当たるまで挿入されると、仮係止突部６１が復元しつつ左挿入開口７１の裏側の口縁に係止し、抜け止め状態に保持されるようになっている。これが係止部材５０の退避位置であって、この退避位置では、挟持片５７に形成された両逃がし溝５８が、受け部７５の左右両側に位置するようになっている。
この退避位置からさらに係止部材５０が押し込まれると、挟持片５７が撓み変形しつつ本係止突部６３が段部７３の後面を通過し、操作部５１が左挿入開口７１の表側の口縁に当たって押し込みが停止されると、図１１に示すように、挟持片５７が復元しつつ本係止突部６３が段部７３に係止し、抜け止め状態に保持される。この位置が進出位置となる。
【００２２】
続いて、本実施形態の作用を説明する。
雌ハウジング２０側では、図１に示すように、各キャビティ２５内に電線ｗの端末に固着された雌端子２４が収容されてランス２６により一次係止され、かつ防水ゴム栓２７でキャビティ２５の入口が塞がれ、続いてリテーナ２８が押し込まれることで、雌端子２４が二重係止されるとともに、タワー部２１の外周に嵌着されたパッキン２９が抜け止めされる。
それとともに、係止部材５０が、図６の矢線に示すように、左挿入開口７１から右挿入開口７２に向けて挿入され、図７及び図８に示すように、仮係止突部６１が左挿入開口７１の裏側の口縁に係止したところで、退避位置に仮保持される。この退避位置では、係止部材５０の挟持片５７に形成された逃がし溝５８が、受け部７５の左右両側に位置する。
【００２３】
このように係止部材５０を退避位置に装着した状態の雌ハウジング２０が、図１及び図８の矢線に示すように、相手の雄ハウジング１０に向けて嵌合される。嵌合が進むと、ロックアーム３１が傾動しつつロック突部１６を通過し、所定量押し込まれると、図１２に参照して示すように、ロックアーム３１が元姿勢に復元してそのロック面３４がロック突部１６の係止面１６Ａと対向して嵌合状態にロックされる。ただし、ロック面３４と係止面１６Ａとの間にはクリアランスｃが残る。この間に、対応する雄雌の端子金具１４，２４同士が正規に接続されるとともに、雄雌のハウジング１０，２０間がパッキン２９でシールされる。
【００２４】
それとともに、雄ハウジング１０側の両被係止部４０が受け部７５の両側を通り、さらに係止部材５０の挟持片５７の両逃がし溝５８を通って、図９に示すように、後側枠部５３と挟持片５７の間の領域に進入する。
そして最後に、退避位置にある係止部材５０を進出位置まで押し込み、図１０ないし図１２に示すように、本係止突部６３を段部７３に係止させて保持すると、雄ハウジング１０側の両被係止部４０が、係止部材５０の後側枠部５３と挟持片５７の基端部同士の間で挟持された状態となる。
したがって両ハウジング１０，２０は、いわゆる嵌合方向にがた詰めされた状態にロックされ、そのため振動を受けた場合にも両ハウジング１０，２０が嵌合方向に沿った方向にがたつくことが防止される。
【００２５】
なお、両ハウジング１０，２０を嵌合する際、雌ハウジング２０を正規位置まで押し込む前に嵌合動作を止めてしまうこと、すなわち半嵌合状態に留め置かれることがあり得る。その場合は、図１３に示すように、被係止部４０が逃がし溝５８の途中に残っているから、係止部材５０を進出位置に向けて押し込み操作した場合に、逃がし溝５８の側面が被係止部４０に当たって押し込みができず、これをもって半嵌合に留め置かれていたことが検知される。その場合は、雌ハウジング２０を再度正規位置まで押し込み操作し、引き続いて係止部材５０を進出位置に向けて押し込めばよい。
【００２６】
以上のように本実施形態によれば、係止部材５０により相手の被係止部４０を挟むことで、両ハウジング１０，２０を嵌合方向にがた詰めした状態でロックできるようにしたから、振動を受けた場合にも両ハウジング１０，２０が嵌合方向に沿った方向にがたつくことが無く、互いに接触された雄雌の端子金具１４，２４の間で摩耗が生じることが防がれる。もって接触圧が確保される等、電気的接続の信頼性が高められる。
また、係止部材５０が進出位置に押し込めないことをもって、両ハウジング１０，２０が半嵌合状態に留め置かれていることが検知できる。さらに係止部材５０は、雌ハウジング２０に対して退避位置で仮保持することができ、すなわち相手の雄ハウジング１０と嵌合する前に、係止部材５０を雌ハウジング２０に仮組みしてアッセンブリ化できるから、取り扱いに便利となる。
【００２７】
＜第２実施形態＞
次に、本発明の第２実施形態を図１４ないし図１７によって説明する。
この第２実施形態は、上記第１実施形態で示した係止部材５０と被係止部４０とを用いて雄雌のハウジング間のがた詰めをすることに加えて、雌端子２４がキャビティ２５内で前後に遊動することを防止する機能を備えている。
以下には、主に雌端子２４の遊動防止構造について説明する。また、雌端子２４を二重係止するリテーナ８０が、サイド形式に変更となるため、雌ハウジング２０Ａの構造が第１実施形態とは若干異なるが、基本的な構造は第１実施形態と同様であるから、同一機能を有する部位については、同一符号を付し、あるいは添え字「Ａ」を備えた符号を付すことで、説明を省略または簡略化する。
【００２８】
雌ハウジング２０Ａには、サイド形式のリテーナ８０が装着されるようになっている。このリテーナ８０は、合成樹脂材によって図１５に示すような形状に形成され、図１４に示すように、雌ハウジング２０Ａの大フード部２２の右側面に開口された窓孔８６を通して、タワー部２１Ａに対して右側面から挿入可能とされている。
リテーナ８０は、操作板８１の両端部に２枚の挿入板８２を立てて設けた構造であって、各挿入板８２の下面側には、係止部８３が挿入方向の前後２個ずつ形成されている。
【００２９】
リテーナ８０が上記のようにタワー部２１Ａに対して挿入されると、各挿入板８２は、上段の左右２個のキャビティ２５と、下段の左右の２個のキャビティ２５にわたり、それぞれの天井面の直下を横切るようにして挿入される。一方、雌端子２４は、本体部９０の二重壁構造の上面を、キャビティ２５の天井面に対向させた姿勢で挿入されている。
そしてリテーナ８０が正規の進出位置まで挿入されると、各係止部８３が対応するキャビティ２５の天井面に進入し、雌端子２４の本体部９０の上面を構成した外壁の後縁９１に係止するようになっている。なお、リテーナ８０は、図１４の鎖線に示すように、係止部８３がキャビティ２５に入る手前の位置に退避した退避位置で仮保持できるようになっている。
【００３０】
さてこの実施形態では、上記したリテーナ８０において、各係止部８３の前縁（係止縁８４）における挿入方向の先端側の角部が斜めに切断されて、誘導縁８５が形成されている。また、雌端子２４では、図１６に詳細に示すように、本体部９０の上面の外壁の後縁９１における手前側の角部に、同じく斜めに切断されることで誘導縁９２が形成されている。
【００３１】
第２実施形態の作用は以下のようである。まず図１４の鎖線に示すように、雌ハウジング２０Ａのタワー部２１Ａには、リテーナ８０が退避位置に仮保持される。係る状態で雌端子２４が対応するキャビティ２５内に後方から挿入されると、キャビティ２５の底壁に設けられたランス２６を撓み変位させつつ押し込まれ、所定量挿入されると、ランス２６が復動して本体部９０の下面側に設けられたランス孔に嵌まって係止することで（図１２参照）、雌端子２４が一次係止される。このとき、図１４に示すように、雌端子２４とキャビティ２５の前壁２５Ａの間にクリアランスｃが存在することがあり得る。
【００３２】
続いて、リテーナ８０が退避位置から進出位置に向けて押し込まれると、進出位置に至る手前で、図１６に示すように、係止部８３の誘導縁８５が対応する雌端子２４の誘導縁９２に当たり、図１７に示す進出位置に向けてさらに押し込まれると、両誘導縁８５，９２間のカム作用によって雌端子２４が前方に詰められてキャビティ２５の前壁２５Ａに押し付けられ、すなわちクリアランスがない状態とされる。また、誘導縁８５に続く直線状の係止縁８４が、雌端子２４の本体部９０の上面における外壁の後縁９１に係止することで、雌端子２４は二重係止される。
【００３３】
このように本第２実施形態では、雌端子２４を二重係止すべくリテーナ８０を挿入することに伴い、誘導縁８５，９２同士のカム作用により雌端子２４をキャビティ２５の前壁２５Ａに押し付け、クリアランスを無くす。そのため、雌端子２４がキャビティ２５内で前後方向に遊動することが規制され、もって相手の雄端子１４との接触部分での摩耗が抑制される。雄雌のハウジング１０，２０Ａ同士のがた詰めによる摩耗防止と併せて、雄雌の端子金具１４，２４同士の電気的接続の信頼性をより高めることができる。
【００３４】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）ロックアームは、上記したシーソー状に変位するものに限らず、片持ち状に配されて基端側を中心に傾動変位するものにも、本発明は同様に適用することができる。
（２）係止部材を進出位置に保持するための本係止片は、挟持片とは別に設けてもよい。
（３）係止部材と被係止部は、上記実施形態とは雄雌逆のハウジングに設けるようにしてもよい。
（４）第２実施形態において、誘導縁は、リテーナと雌端子のいずれか一方のみに設けるようにしてもよい。
【図面の簡単な説明】
【図１】本発明の第１実施形態に係る雄雌のハウジングの嵌合前の状態の縦断面図
【図２】雄ハウジングの正面図
【図３】雌ハウジングの正面図
【図４】その左側面図
【図５】係止部材の斜視図
【図６】係止部材の装着動作を示す一部切欠平面図
【図７】係止部材が退避位置に装着された状態の正面図
【図８】雄雌のハウジングの嵌合前の状態の一部切欠平面図
【図９】両ハウジングが嵌合された状態の一部切欠平面図
【図１０】係止部材が進出位置に保持された状態の正面図
【図１１】その一部切欠平面図
【図１２】その縦断面図
【図１３】雄雌のハウジングの半嵌合検知動作を示す一部切欠平面図
【図１４】本発明の第２実施形態に係る雌ハウジングの平断面図
【図１５】リテーナの斜視図
【図１６】リテーナが進出位置に至る手前の状態の平断面図
【図１７】リテーナが進出位置に押し込まれた状態の平断面図
【符号の説明】
１０…雄ハウジング
１４…雄端子
１６…ロック突部
２０，２０Ａ…雌ハウジング
２４…雌端子
２５…キャビティ
２５Ａ…（キャビティ２５の）前壁
２６…ランス
３０…アーチ部
３１…ロックアーム
４０…被係止部
４１…基台
５０…係止部材
５３…後側枠部
５７…挟持片
５８…逃がし溝
６１…仮係止突部
６３…本係止突部
８０…リテーナ
８３…係止部
８４…係止縁
８５…誘導縁（誘導手段）
９０…（雌端子２４の）本体部
９１…（本体部の上面の）後縁
９２…誘導縁（誘導手段）
ｃ…クリアランス
【図１】
2005005037.tif 000003
【図２】
2005005037.tif 000004
【図３】
2005005037.tif 000005
【図４】
2005005037.tif 000006
【図５】
2005005037.tif 000007
【図６】
2005005037.tif 000008
【図７】
2005005037.tif 000009
【図８】
2005005037.tif 000010
【図９】
2005005037.tif 000011
【図１０】
2005005037.tif 000012
【図１１】
2005005037.tif 000013
【図１２】
2005005037.tif 000014
【図１３】
2005005037.tif 000015
【図１４】
2005005037.tif 000016
【図１５】
2005005037.tif 000017
【図１６】
2005005037.tif 000018
【図１７】
2005005037.tif 000019